(57)【要約】  本発明は、二次電池に充電を行う充電器において、利用料未払いを防ぐために充電開始前に利用料の決済を行うと利用料の払い戻しが発生する可能性があるという問題を解決するために、充電終了前に充電器の利用料を決済するようにしたものである。  充電器（２００）は、二次電池に電力を供給する電力供給部（２１０）と、前記二次電池への電力供給が開始された後、充電終了前に充電器の利用料を決済する決済部（２２０）と、を有する。
2015053032.tif 000002
【特許請求の範囲】
【請求項１】
二次電池に電力を供給する電力供給部と、  前記二次電池への電力供給が開始された後、充電終了前に充電器の利用料を決済する決済部と、を有する充電器。
【請求項２】
前記決済部は、  複数の決済方式で前記決済を実施可能であり、利用者に選択された決済方式で前記決済を実施する、請求項１に記載の充電器。
【請求項３】
前記電力供給部は、  前記二次電池への電力供給が開始された後、前記決済方式に応じた時間を経過しても、前記決済部にて前記決済が実施されなかった場合、前記二次電池への電力供給を停止する、請求項２に記載の充電器。
【請求項４】
前記電力供給部は、  前記決済方式が選択された後、前記決済方式に応じた時間を経過しても、前記決済部にて前記決済が実施されなかった場合、前記二次電池への電力供給を停止する、請求項２に記載の充電器。
【請求項５】
前記電力供給部は、  所定の時間が経過しても、前記決済部にて前記決済が実施されなかった場合、前記二次電池への電力供給を停止する、請求項１又は２に記載の充電器。
【請求項６】
前記電力供給部は、  前記二次電池に所定の量の電力を供給しても、前記決済部にて前記決済が実施されなかった場合、前記二次電池への電力供給を停止する、請求項１又は２に記載の充電器。
【請求項７】
前記電力供給部が、前記二次電池への電力供給を開始する前に、前記決済の準備を利用者に促す画面を表示する表示部を有する、請求項１から６のいずれか１項に記載の充電器。
【請求項８】
前記表示部は、前記電力供給部が前記二次電池への電力供給を開始してから、前記決済が実施されるまでの間、前記決済を利用者に促す画面を表示する、請求項７に記載の充電器。
【請求項９】
前記表示部は、前記決済部にて前記決済が実施されるまでの間、充電が開始されていることを隠蔽する、請求項７又は８に記載の充電器。
【請求項１０】
前記電力供給部は、  前記二次電池への電力供給の開始から前記決済部にて前記決済が実施されるまでの間は、第１の電力供給速度で電力を供給し、前記決済部にて前記決済が実施された後は、前記第１の電力供給速度よりも速い第２の電力供給速度で電力を供給する、請求項１から９のいずれか１項に記載の充電器。
【請求項１１】
二次電池に充電を行う充電器による充電方法であって、  前記二次電池への電力供給を行う電力供給ステップと、  前記二次電池への電力供給が開始された後、充電終了前に前記充電器の利用料を決済する決済ステップと、を有する充電方法。
【請求項１２】
前記決済ステップでは、  複数の決済方式で前記決済を実施可能であり、利用者に選択された決済方式で前記決済を実施する、請求項１１に記載の充電方法。
【請求項１３】
前記電力供給ステップでは、  前記二次電池への電力供給が開始された後、前記決済方式に応じた時間を経過しても、前記決済が実施されなかった場合、前記二次電池への電力供給を停止する、請求項１２に記載の充電方法。
【請求項１４】
前記電力供給ステップでは、  前記決済方式が選択された後、前記決済方式に応じた時間を経過しても、前記決済が実施されなかった場合、前記二次電池への電力供給を停止する、請求項１２に記載の充電方法。
【請求項１５】
前記電力供給ステップでは、  所定の時間が経過しても、前記決済が実施されなかった場合、前記二次電池への電力供給を停止する、請求項１１又は１２に記載の充電方法。
【請求項１６】
前記電力供給ステップでは、  前記二次電池に所定の量の電力を供給しても、前記決済が実施されなかった場合、前記二次電池への電力供給を停止する、請求項１１又は１２に記載の充電方法。
【請求項１７】
前記二次電池への電力供給を開始する前に、前記決済の準備を利用者に促す画面を表示するステップをさらに有する、請求項１１から１６のいずれか１項に記載の充電方法。
【請求項１８】
前記二次電池への電力供給を開始してから、前記決済が実施されるまでの間、前記決済を利用者に促す画面を表示するステップをさらに有する、請求項１７に記載の充電方法。
【請求項１９】
前記決済が実施されるまでの間、充電が開始されていることを隠蔽する、請求項１７又は１８に記載の充電方法。
【請求項２０】
前記電力供給ステップでは、  前記二次電池への電力供給の開始から前記決済が実施されるまでの間は、第１の電力供給速度で電力を供給し、前記決済が実施された後は、前記第１の電力供給速度よりも速い第２の電力供給速度で電力を供給する、請求項１１から１９のいずれか１項に記載の充電方法。 
【発明の詳細な説明】
【技術分野】
【０００１】  本発明は、二次電池に充電を行う充電器の利用料を決済する技術に関する。
【背景技術】
【０００２】  近年、ＥＶ（Electric  Vehicle：電気自動車）に搭載された二次電池に充電を行うＥＶ充電器の利用料を決済する技術が幾つか提案されている。【０００３】  例えば、特許文献１には、ＥＶ充電器の利用料の決済を実施した後に、ＥＶへの充電を可能とする技術が開示されている。
【先行技術文献】
【特許文献】
【０００４】
【特許文献１】特開２０１０−０２８９１３号公報
【発明の概要】
【発明が解決しようとする課題】
【０００５】  充電器における、二次電池とのインターフェースは、実際に電気が流れる段階になるまでは、充電可能であるか否かを判断することが難しい。【０００６】  つまり、充電器において、利用料未払いを防ぐために、充電開始前に利用料の決済を行うと、利用料の払い戻しが発生してしまう可能性がある。【０００７】  本発明の目的は、上述した課題である、充電器の利用料の払い戻しが発生してしまうことを解決する充電器および充電方法を提供することにある。
【課題を解決するための手段】
【０００８】  本発明の充電器は、  二次電池に電力を供給する電力供給部と、  前記二次電池への電力供給が開始された後、充電終了前に充電器の利用料を決済する決済部と、を有する。【０００９】  本発明の充電方法は、二次電池に充電を行う充電器による充電方法であって、  前記二次電池への電力供給を行う電力供給ステップと、  前記二次電池への電力供給が開始された後、充電終了前に前記充電器の利用料を決済する決済ステップと、を有する。
【発明の効果】
【００１０】  本発明によれば、充電器の利用料の払い戻しを発生させないようにすることができるという効果が得られる。
【図面の簡単な説明】
【００１１】
【図１】本発明の一実施形態のＥＶ充電器を含む充電システムの構成を示すブロック図である。
【図２】図１に示した充電システムにおける充電時の概略動作を説明するフロー図である。
【図３】図１に示したＥＶ充電器における充電時の詳細動作を説明するシーケンス図である。
【図４】図１に示したＥＶ充電器における充電時の詳細動作を説明するシーケンス図である。
【図５】本発明の充電器の構成の概要を示すブロック図である。
【発明を実施するための形態】
【００１２】  以下に、本発明を実施するための形態について図面を参照して説明する。
【００１３】  図１は、本実施形態のＥＶ充電器を含む充電システムの構成を示すブロック図である。
【００１４】  図１に示す充電システムは、ＥＶ１０と、ＥＶ充電器２０と、を有している。
【００１５】  なお、本実施形態においては、ＥＶ１０の充電方式が、ＣＨＡｄｅＭＯ（CHArge  de  MOve）規格の充電方式であるものとする。ＣＨＡｄｅＭＯ規格は、ＥＶ１０側からＥＶ充電器２０に対し、充電の開始・終了を制御する仕様になっている。
【００１６】  ＥＶ１０は、二次電池１１と、制御部１２と、を有している。
【００１７】  二次電池１１は、ＥＶ充電器２０から供給される電力で充電される。なお、ＥＶ１０は、二次電池１１に充電された電力により駆動されるが、駆動系統の構成自体は本発明の本質的な部分ではなく、公知の構成を利用できるため、説明を省略する。
【００１８】  制御部１２は、ＥＶ１０内の構成要素を制御して各種の処理を行う。
【００１９】  ＥＶ充電器２０は、表示部２１と、電力供給部２２と、決済部２３と、制御部２４と、を有している。
【００２０】  表示部２１は、充電時に各種の画面を表示する。
【００２１】  電力供給部２２は、ＥＶ１０の二次電池１１に電力を供給する。
【００２２】  決済部２３は、ＥＶ１０によるＥＶ充電器２０の利用料を、複数の決済方式で実施可能である。決済部２３にて実施可能な決済方式には、電子マネー決済、クレジットカード決済、プリペードカード決済、現金決済等が含まれる。ＥＶ充電器２０の利用料は、電力供給量にかかわらず一定料金とする（定額制）。
【００２３】  制御部２４は、ＥＶ充電器２０内の構成要素を制御して各種の処理を行う。
【００２４】  以下、図１に示した充電システムの概略動作について説明する。
【００２５】  まず、図１に示した充電システムにおける充電時の概略動作について、図２を参照して説明する。
【００２６】  図２に示すように、まず、ＥＶ充電器２０の利用者により、ＥＶ充電器２０の充電コネクタがＥＶ１０に接続される（ステップＡ１）。
【００２７】  次に、ＥＶ充電器２０の制御部２４は、ＥＶ充電器２０の本体部分と充電コネクタとの間の充電ケーブルの絶縁試験を開始する（ステップＡ２）。なお、絶縁試験の方法自体は本発明の本質的な部分ではなく、公知の方法を利用できるため、説明を省略する。絶縁試験を開始すると、以降、充電コネクタの抜差が不可能な状態になる。
【００２８】  絶縁試験が終了すると（ステップＡ３）、ＥＶ１０の制御部１２は、ＥＶ充電器２０に対し、充電の開始を指示する（ステップＡ４）。この指示を受けると、ＥＶ充電器２０の制御部２４は、電力供給部２２に対し、ＥＶ１０への電力供給の開始を指示する。
【００２９】  次に、ＥＶ充電器２０の制御部２４は、ＥＶ１０への電力供給が実際に開始されたか否かを確認する（ステップＡ５）。これは、上述したように、実際に電気が流れる段階にならないと、充電が可能であるか否かの判断が難しいためである。
【００３０】  ＥＶ１０への電力供給が開始されていた場合（ステップＡ５のＹｅｓ）、ＥＶ充電器２０の制御部２４は、決済部２３に対し、ＥＶ充電器２０の利用料の決済の実施を指示し（ステップＡ６）、以降、待ち時間（決済方式に応じた時間に設定されるが、詳細は後述する）内に決済が実施されたか否かを監視する（ステップＡ７）。なお、待ち時間の起算点は、ＥＶ充電器２０の充電コネクタからＥＶ１０へ電力供給が開始されたタイミングとする。
【００３１】  待ち時間内に決済が実施されなかった場合（ステップＡ７のＮｏ）、ＥＶ充電器２０の制御部２４は、電力供給部２２に対し、ＥＶ１０への電力供給の強制的な停止を指示する（ステップＡ８）。
【００３２】  一方、待ち時間内に決済が実施された場合（ステップＡ７のＹｅｓ）、ＥＶ１０の制御部１２は、二次電池１１の充電量が所定量に達した時点で（急速充電器の場合は、例えば、二次電池１１の充電率が８０％に達した時点）、ＥＶ充電器２０に対し、充電の終了を指示する（ステップＡ９）。この指示を受けると、ＥＶ充電器２０の制御部２４は、電力供給部２２に対し、ＥＶ１０への電力供給の停止を指示する。
【００３３】  なお、ステップＡ８，Ａ９で充電を終了すると、以降、充電コネクタの抜差が可能な状態になる。また、ステップＡ５でＥＶ１０への電力供給が開始されていなかった場合も、エラーとなり、以降、充電コネクタの抜差が可能な状態になる。
【００３４】  続いて、図１に示したＥＶ充電器２０における充電時の詳細動作について、図３および図４を参照して説明する。なお、図３および図４のシーケンス図は、結合子Ａ〜Ｈを介して互いに繋がっている。
【００３５】  図３および図４に示すように、まず、制御部２４は、表示部２１に対し、スタート画面の表示を指示する（ステップＢ１）。この指示を受けると、表示部２１は、スタート画面を表示する。なお、この時点ではＥＶ充電器２０の充電コネクタは、ＥＶ１０へ接続されていない。
【００３６】  ＥＶ充電器２０の利用者は、充電を行う場合、まず、スタート画面にタッチする。
【００３７】  次に、制御部２４は、表示部２１に対し、決済部２３にて実施可能な決済方式のいずれかを利用者に選択させる決済方式選択画面の表示を指示する（ステップＢ２）。この指示を受けると、表示部２１は、決済方式選択画面を表示する。決済方式選択画面では、電子マネー決済、クレジットカード決済、プリペードカード決済、現金決済等の複数の決済方式が利用者にタッチ等により選択可能に表示される。
【００３８】  本実施形態においては、上述のように、ＥＶ１０への電力供給を開始した後、待ち時間内に決済が実施されなかった場合、電力供給を強制的に停止する。
【００３９】  これにより、利用料未払いのＥＶ１０への電力供給量を抑えることができるが、こうした電力供給量をさらに抑えるためには、待ち時間をなるべく短くする必要がある。ただし、決済が実施されるまでの時間は、決済方式に応じて異なると考えられる（例えば、電子マネー決済は、現金決済よりも短時間で決済が実施されると考えられる）。
【００４０】  そこで、制御部２４は、決済方式選択画面上で選択された決済方式に応じて待ち時間を決定する（ステップＢ３）。
【００４１】  なお、待ち時間は、決済方式毎に予め設定されており、例えば、３０秒〜１分の範囲内に設定される。つまり、充電時間は、急速充電の場合は約２０〜３０分であるため、全体の充電時間における５〜１０％前後あたりに、待ち時間が設定される。
【００４２】  また、待ち時間をＳＯＣ（state  of  charge）で判断する場合、ＳＯＣが５〜１０％前後まで充電する時間を待ち時間として設定する。
【００４３】  ただし、二次電池１１に残存している充電量によって「充電時間」や「時間に応じて充電されるＳＯＣ」は変動するため、待ち時間は必ずしも、充電時間における５〜１０％、またＳＯＣの５〜１０％前後に限られるものでもない。また、待ち時間や、急速充電にかかる時間は、上記に限定されない。
【００４４】  また、待ち時間は、利用料未払いのＥＶ１０への電力供給量を抑えるという観点から、決済方式に応じてなるべく短い時間に設定されるが、その待ち時間内に決済ができないと、ＥＶ１０への電力供給が強制的に停止させられてしまう場合がある。
【００４５】  そこで、制御部２４は、短い待ち時間内にすぐに決済が行えるようにするため、表示部２１に対し、決済方式選択画面上で選択された決済方式での決済準備を利用者に促す決済準備画面の表示を指示する（ステップＢ４）。この指示を受けると、表示部２１は、決済準備画面を表示する。この決済準備画面は、例えば、「もうすぐ決済が始まります」といったメッセージを表示した画面である。
【００４６】  以降、ＥＶ充電器２０の充電コネクタがＥＶ１０に接続され、絶縁試験が行われるが、これらの動作の説明は省略する。なお、上述したように、絶縁試験が開始されると、以降、充電コネクタの抜差が不可能な状態になる。
【００４７】  その後、絶縁試験が終了し、ＥＶ１０から充電開始の指示を受けると（ステップＢ５のＹｅｓ）、制御部２４は、電力供給部２２に対し、ＥＶ１０への電力供給の開始を指示する。なお、このＥＶ充電器２０の充電コネクタからＥＶ１０へ電力供給が開始されたタイミングが待ち時間の起算点となる。このとき、制御部２４は、電力供給部２２に対し、ＥＶ１０への単位時間あたりの電力供給量を示す電力供給速度として、低速の第１の速度（例えば、最低速度）を指示する（ステップＢ６）。この指示を受けると、電力供給部２２は、電力供給速度を第１の速度に低速化した上でＥＶ１０への電力供給を開始しようと試行する。
【００４８】  次に、制御部２４は、ＥＶ１０への電力供給が実際に開始されたか否かを確認する（ステップＢ７）。
【００４９】  ＥＶ１０への電力供給が開始されていない場合（ステップＢ７のＮｏ）、制御部２４は、電力供給部２２に対し、電力供給の開始指示を取り消す旨を指示する（ステップＢ８）。この指示を受けると、電力供給部２２は、ＥＶ１０への電力供給の試行をやめる。
【００５０】  また、制御部２４は、表示部２１に対し、充電が実施されなかった旨のエラー画面の表示を指示する（ステップＢ９）。この指示を受けると、表示部２１は、エラー画面を表示する。このエラー画面の表示以降、充電コネクタの抜差が可能な状態になり、再度、ステップＢ１に戻り、スタート画面の表示が行われる。
【００５１】  一方、ＥＶ１０への電力供給が開始されていた場合（ステップＢ７のＹｅｓ）、制御部２４は、表示部２１に対し、決済方式選択画面上で選択された決済方式での決済を利用者に促す決済画面の表示を指示する（ステップＢ１０）。この指示を受けると、表示部２１は、決済画面を表示する。この決済画面は、例えば、電子マネー決済の場合は、電子マネー機能を搭載したＩＣ（Integrated  Circuit）カードのタッチを利用者に促す画面となる。
【００５２】  ここで、ステップＢ１０の時点では、ＥＶ１０への充電は既に開始されているものの、決済画面上では、充電が進んでいるようには見えない。言い換えれば、決済画面上では、充電が開始されていることを隠蔽している。そのため、このような決済画面を表示することで、充電を開始したい利用者が率先して決済（電子マネー決済の場合は、ＩＣカードのタッチ）を行うことになると考えられる。
【００５３】  また、制御部２４は、決済部２３に対し、決済方式選択画面上で選択された決済方式でのＥＶ充電器２０の利用料の決済の実施を指示する（ステップＢ１１）。この指示を受けると、決済部２３は、決済方式選択画面上で選択された決済方式で決済を実施する。例えば、電子マネー決済の場合は、決済部２３は、ＩＣカードが画面にタッチされると、そのＩＣカードから決済に必要な情報（電子マネー、利用者情報等）を読み取り、読み取った情報を基に決済を実施する。
【００５４】  以降、制御部２４は、決済部２３に対し、決済の実施を指示してから、決済方式選択画面上で選択された決済方式に応じて決定した待ち時間内に、決済部２３にて決済が実施されたか否かを監視する（ステップＢ１２，Ｂ１３）。
【００５５】  ここで、例えば、電子マネー決済における決済の実施とは、ＥＶ充電器２０が、電子マネー機能を搭載したＩＣカードから金額情報や利用者情報などの情報を正常に読み取り、利用料が支払われたことをいう。
【００５６】  プリペードカード決済における決済の実施とは、ＥＶ充電器２０が、プリペードカードから金額情報を正常に読み取り、利用料が支払われたことをいう。
【００５７】  クレジットカード決済における決済の実施とは、クレジットカードから利用者情報とクレジットカード番号を正常に読み取り、利用者の認証に成功したことをいう（実際に、銀行などの預金から引き落とされたことをもって実施とする訳ではない）。
【００５８】  現金決済における決済の実施とは、ＥＶ充電器２０に利用料の金額が投入されたことをＥＶ充電器２０が認識したことをいう。
【００５９】  制御部２４は、待ち時間内に決済が実施されなかった場合（ステップＢ１３のＹｅｓ）、電力供給部２２に対し、ＥＶ１０への電力供給の強制的な停止を指示する（ステップＢ１４）。この指示を受けると、電力供給部２２は、ＥＶ１０への電力供給を停止する。
【００６０】  また、制御部２４は、表示部２１に対し、決済が正常に実施されなかった旨のエラー画面の表示を指示する（ステップＢ１５）。この指示を受けると、表示部２１は、エラー画面を表示する。このエラー画面の表示以降、充電コネクタの抜差が可能な状態になり、再度、ステップＢ１に戻り、スタート画面の表示が行われる。
【００６１】  一方、制御部２４は、待ち時間内に決済が実施された場合（ステップＢ１２のＹｅｓ）、表示部２１に対し、決済が正常に実施された旨の決済終了画面の表示を指示する（ステップＢ１６）。この指示を受けると、表示部２１は、決済終了画面を表示する。
【００６２】  また、制御部２４は、電力供給部２２に対し、電力供給速度として、第１の速度よりも速い高速の第２の速度を指示する（ステップＢ１７）。この指示を受けると、電力供給部２２は、ＥＶ１０への電力供給速度を第２の速度に高速化する。
【００６３】  また、制御部２４は、表示部２１に対し、充電が開始した旨の充電開始画面の表示を指示する（ステップＢ１８）。この指示を受けると、表示部２１は、充電開始画面を表示する。
【００６４】  ここで、ステップＢ１８の時点では、ＥＶ１０への充電は既に開始されていたが、利用者は、充電開始画面の表示により、この時点から充電が開始されたと判断する。
【００６５】  以降に、ＥＶ１０から充電終了の指示を受けると（ステップＢ１９のＹｅｓ）、制御部２４は、電力供給部２２に対し、ＥＶ１０への電力供給の停止を指示する（ステップＢ２０）。この指示を受けると、電力供給部２２は、ＥＶ１０への電力供給を停止する。
【００６６】  また、制御部２４は、表示部２１に対し、充電が終了した旨の充電終了画面の表示を指示する（ステップＢ２１）。この指示を受けると、表示部２１は、充電終了画面を表示する。充電終了画面の表示以降、充電コネクタの抜差が可能な状態になり、再度、ステップＢ１に戻り、スタート画面の表示が行われる。
【００６７】  上述したように本実施形態においては、ＥＶ充電器２０は、ＥＶ１０への電力供給を開始した後に、利用料を決済している。そのため、利用料の払い戻しを発生させないようにすることができるという効果が得られる。
【００６８】  また、ＣＨＡｄｅＭＯ規格では、ＥＶ充電器２０側からは、充電の開始・終了を制御することができない。したがって、ＣＨＡｄｅＭＯ規格のＥＶ充電器２０においては、充電開始前後に決済のための静止ポイントを設けることがでないため、特許文献１のように、充電開始前に静止ポイントを設けることができない。その結果、決済せずに充電が開始されてしまい、利用料未払いを防げない可能性がある。
【００６９】  これに対して本実施形態においては、ＥＶ充電器２０は、利用料を決済するタイミングを、ＥＶ１０への電力供給を開始した後（静止ポイントはとらない）のタイミングにしている。そのため、利用料の払い戻しが発生するのを防ぐことができるとともに、充電完了後に利用料を決済するタイミングを設ける場合に比べて、利用料の未払いを防ぐことができるという効果が得られる。
【００７０】  また、ＥＶ充電器２０は、待ち時間内に決済が実施されなかった場合は、充電を強制的に終了する。そのため、利用料未払いのＥＶ１０への電力供給量を抑えることができるという効果が得られる。
【００７１】  また、ＥＶ充電器２０は、ＥＶ１０への電力供給を開始する前に、決済準備を利用者に促す決済準備画面を表示する。そのため、利用者は、待ち時間内にすぐに決済が行えるようになるため、待ち時間内に決済ができずに、電力供給が強制的に停止させられてしまうことを回避できるという効果が得られる。また、利用者が待ち時間内にすぐに決済が行えることから、待ち時間をより短くすることができると考えられるため、利用料未払いのＥＶ１０への電力供給量をさらに抑えることができるという効果も得られる。
【００７２】  また、ＥＶ充電器２０は、利用者が選択した決済方式に応じて待ち時間を決定する。そのため、例えば、現金決済よりも短時間で決済が実施されると考えられる電子マネー決済の場合は、待ち時間をより短くすることができるため、利用料未払いのＥＶ１０への電力供給量をさらに抑えることができるという効果が得られる。
【００７３】  また、ＥＶ充電器２０は、決済が実施されるまでの間は、低速（第１の速度）で充電を行い、決済が実施された後は、高速（第２の速度）で充電を行う。そのため、利用料未払いのＥＶ１０への電力供給量をさらに抑えることができるという効果が得られる。
【００７４】  また、ＥＶ充電器２０は、決済が実施されるまでの間は、決済を利用者に促す決済画面を表示する。このように、実際には充電が進んでいるにもかかわらず、こうした決済画面を表示することで、充電を開始したい利用者が率先して決済することを促すことができるという効果が得られる。
【００７５】  以上、実施形態を参照して本発明を説明したが、本発明は上記実施形態に限定されるものではない。本発明の構成や詳細には、本発明の範囲内で当業者が理解し得る様々な変更をすることができる。
【００７６】  例えば、上記実施形態においては、決済方式選択画面や決済準備画面を表示する表示タイミングは、ＥＶ充電器２０の充電コネクタをＥＶ１０に接続する前のタイミングとしたが、本発明はこれに限定されず、ＥＶ充電器２０の充電コネクタをＥＶ１０に接続した後のタイミングとしても良い。ただし、この場合、ＥＶ充電器２０における待ち時間の起算点は、電力供給が実際に開始されたタイミングとする。また、この場合、決済方式選択画面や決済準備画面を表示する前に、既にＥＶ１０からの指示でＥＶ充電器２０から電力供給が開始されている可能性がある。そのため、決済方式が選択されると、既に起算されている待ち時間の長さは、選択された決済方式に応じて変更される。
【００７７】  また、上記実施形態においては、ＥＶ１０の充電方式がＣＨＡｄｅＭＯ規格の充電方式であるものとして説明したが、本発明はこれに限定されず、ＣＨＡｄｅＭＯ規格以外の充電方式にも適用可能である。
【００７８】  すなわち、本発明においては、ＥＶ充電器２０側から充電の開始・終了を制御する充電方式にも適用可能である。この場合、例えば、ＥＶ充電器２０の操作部（不図示）を介して利用者から充電の開始・終了の指示を受け付けるものとし、充電開始の指示を受けた場合は、図３のステップＢ６以降の処理を行い、充電終了の指示を受けた場合は、図４のステップＢ２０以降の処理を行えば良い。
【００７９】  また、上記実施形態においては、ＥＶ充電器２０の利用料は、電力供給量にかかわらず一定料金（定額制）としたが、本発明はこれに限定されず、電力供給量などに応じて利用料を決めても良い。ただし、本発明は、充電終了前に、決済を行うものであるため、少なくとも充電終了前に利用料が確定している必要がある。充電終了前に利用料が確定するケースとしては、例えば、最初に、電力供給量を設定し、その後に、充電を開始するケース等が考えられる。
【００８０】  また、上記実施形態においては、ＥＶ充電器２０における待ち時間の起算点を、ＥＶ充電器２０の充電コネクタからＥＶ１０へ電力供給が開始した時点としている。しかし、本発明における「待ち時間の起算点」はこれに限定されず、例えば、利用者が決済方式を選択したタイミング、電力供給部２２に電力供給の開始を指示したタイミング、電力供給が実際に開始されたことを確認したタイミング、充電コネクタのＥＶ１０への接続と利用者の決済方式の選択との双方が終わった後に（どちらが先でも良い）決済部２３に決済の実施を指示したタイミング等としてもよい。
【００８１】  また、上記実施形態においては、ＥＶ充電器２０は、決済方式の選択の際に、決済方式選択画面を表示部２１に表示したが、本発明はこれに限定されず、必ずしも表示部２１に決済方式選択画面を表示しなくても良い。例えば、現金が投入された時点、もしくは電子マネー機能を搭載したＩＣカードやクレジットカードが画面（リーダ）にタッチされた時点で、決済方式を認識し、認識した決済方式を選択したとしても良い。
【００８２】  また、上記実施形態においては、ＥＶ充電器２０は、複数の決済方式で決済を実施可能であるものとしたが、本発明は、１つの決済方式でのみ決済を実施可能な充電器（例えば、現金決済のみ、クレジットカード決済のみ等）にも適用可能である。このような充電器の場合、決済方式は１つであるため、図３のステップＢ２，Ｂ３の処理は省略でき、図３のステップＢ１２，Ｂ１３において、所定のタイミング（例えば、ＥＶ充電器２０の充電コネクタからＥＶ１０へ電力供給が開始されたタイミング、電力供給部２２に電力供給の開始を指示したタイミング、電力供給が実際に開始されたことを確認したタイミング等）からの所定の時間内に決済が実施されなかった場合、図３のステップＳ１４の処理に進み、電力供給を強制停止すれば良い。
【００８３】  また、上記実施形態においては、ＥＶ充電器２０は、待ち時間内に決済が実施されなかった場合、電力供給を強制停止したが、本発明はこれに限定されず、二次電池１１のＳＯＣに応じて電力供給を強制停止しても良い。例えば、二次電池１１への電力供給量が所定量（例えば、二次電池１１の満充電量の５％分）に達しても決済が実施されない場合に、電力供給を強制的に停止しても良い。  また、上記実施形態においては、本発明の充電器を、ＥＶ１０の二次電池１１に充電を行うＥＶ充電器２０に適用しているが、本発明はこれに限定されない。本発明の充電器は、例えば、電動バイク、電動自転車、ＰＣ（Personal  Computer）や携帯機器などの二次電池に充電を行う充電器にも適用可能である。
【００８４】  最後に、本発明の概要を説明する。
【００８５】  図５に、本発明の充電器２００の概要を示す。
【００８６】  図５に示すように、本発明の充電器２００は、電力供給部２１０と、決済部２２０と、を有している。
【００８７】  電力供給部２１０は、二次電池への充電を行う。
【００８８】  なお、電力供給部２１０が充電を行う二次電池は、電気自動車、電動バイク、電動自転車、ＰＣや携帯機器などの二次電池である。
【００８９】  決済部２２０は、二次電池への電力供給が開始された後、充電終了前に充電器２００の利用料を決済する。
【００９０】  なお、充電終了とは、例えば、二次電池の充電量が所定量に達したこと（急速充電器の場合は、例えば、二次電池の充電率が８０％に達したこと）、最初に、電力供給量を設定し、その後に充電を開始する場合には、その電力供給量分の電力を供給したこと等をいう。
【００９１】  本発明の充電器２００においては、決済部２２０は、二次電池への電力供給が開始された後、充電終了前に充電器２００の利用料を決済する。
【００９２】  そのため、充電器２００の利用料の払い戻しを発生させないようにすることができるという効果が得られる。
【００９３】  本出願は、２０１３年１０月７日に出願された日本出願特願２０１３−２０９９７６を基礎とする優先権を主張し、その開示の全てをここに取り込む。 
【図１】
2015053032.tif 000003
【図２】
2015053032.tif 000004
【図３】
2015053032.tif 000005
【図４】
2015053032.tif 000006
【図５】
2015053032.tif 000007
【国際調査報告】
2015053032.tif 000008
2015053032.tif 000009
2015053032.tif 000010
2015053032.tif 000011